(57)【要約】      （修正有）【課題】使い勝手が良く、小型化できる水栓装置を提供する。【解決手段】水栓本体部１０と、水栓本体部１０から延びて先端側に吐水口が形成された吐水部１１と、水栓本体部１０に収納された手動開閉弁１４と、上流側が手動開閉弁１４に連通し、下流側が吐水口に連通した手動吐出路５３及び自動吐出路５４と、手動開閉弁１４を操作し、湯水の混合比率を調整するとともに手動吐出路５３に流れる水の流量を調整する操作部１２と、検知領域に被検知物が配されたときに被検知物を検知する物体検知部１３と、自動吐出路５４に設けられ、物体検知部１３の信号に基づいて開閉する自動開閉弁５６と、操作部１２が操作され、手動吐出路５３を通じて水が吐出していることを検知する手動吐出検知部５７と、手動吐出検知部５７からの信号を受けると自動開閉弁５６を閉弁する制御部と、を備えている。【選択図】図１
2020066841.tif 000002
【特許請求の範囲】
【請求項１】
水栓本体部と、
前記水栓本体部から延びて先端側に吐水口が形成された吐水部と、
前記水栓本体部に収納された手動開閉弁と、
上流側が前記手動開閉弁に連通し、下流側が前記吐水口に連通した手動吐出路及び自動吐出路と、
前記手動開閉弁を操作し、湯水の混合比率を調整するとともに前記手動吐出路に流れる水の流量を調整する操作部と、
検知領域に被検知物が配されたときに前記被検知物を検知する物体検知部と、
前記自動吐出路に設けられ、前記物体検知部の信号に基づいて開閉する自動開閉弁と、
前記操作部が操作され、前記手動吐出路を通じて水が吐出していることを検知する手動吐出検知部と、
前記手動吐出検知部からの信号を受けると前記自動開閉弁を閉弁する制御部と、
を備えている水栓装置。
【請求項２】
前記手動吐出検知部が、前記手動吐出路に設けられた流動センサであり、
前記水栓本体部が、被取付部の上側に配され、
前記自動開閉弁及び前記手動吐出検知部が、前記被取付部の下側に配され、
前記手動開閉弁へ水を供給する給水管と、前記手動開閉弁へ湯を供給する給湯管と、前記自動吐出路を形成し前記手動開閉弁側から前記自動開閉弁まで延びた自動吐出管と、前記手動吐出路を形成し前記手動開閉弁側から前記手動吐出検知部まで延びた手動吐出管と、前記自動開閉弁の下流側及び前記手動吐出検知部の下流側において前記自動吐出路と前記手動吐出路とが合流して前記吐水口に延びる流出管とが、前記被取付部に形成された貫通孔に挿通されている請求項１に記載の水栓装置。
【請求項３】
前記給水管、前記給湯管、前記自動吐出管及び前記手動吐出管が金属製であり、
前記水栓本体部の内部に保持された金属製の内部部品を有し、
前記内部部品に、前記給水管、前記給湯管、前記自動吐出管及び前記手動吐出管が溶接して固定されるとともに、前記流出管を通す切欠き部が形成されている請求項２に記載の水栓装置。
【発明の詳細な説明】
【技術分野】
【０００１】
本発明は、水栓装置に関する。
【背景技術】
【０００２】
従来、水栓本体部と、水栓本体部から延出した吐水部とを備え、センサによる検知に従って自動的に吐水したり止水したりする自動式と、ハンドルを手動操作して吐水したり止水したりする手動式とに対応した水栓装置が知られている。
【０００３】
例えば下記特許文献１に記載された水栓装置は、水栓本体部の正面にセンサが備えられ、通常は自動式で動作するようになっている。この水栓本体部の上端部には、湯水の混合比率を調整するためのハンドルが備えられている。吐水や止水を手動で行うためのハンドルは、緊急時に使用するための非常用であり、水栓本体部の背面に備えられている。
【先行技術文献】
【特許文献】
【０００４】
【特許文献１】特開２００９−９７３３０号公報
【発明の概要】
【発明が解決しようとする課題】
【０００５】
しかしながら、上記のような構成では、手動操作用のハンドルが非常用であるため、非常時に限らず手動で吐水や止水を行いたい場合に使い勝手が良くなかった。また、湯水の混合比率の調整を行うためのハンドルと、吐水部からの吐水を手動で行うためのハンドルとが別々に備えられているため、水栓装置が大型化しがちであった。
【０００６】
本発明は上記のような事情に基づいて完成されたものであって、使い勝手が良く、小型化できる水栓装置を提供することを目的とする。
【課題を解決するための手段】
【０００７】
本発明の水栓装置は、水栓本体部と、前記水栓本体部から延びて先端側に吐水口が形成された吐水部と、前記水栓本体部に収納された手動開閉弁と、上流側が前記手動開閉弁に連通し、下流側が前記吐水口に連通した手動吐出路及び自動吐出路と、前記手動開閉弁を操作し、湯水の混合比率を調整するとともに前記手動吐出路に流れる水の流量を調整する操作部と、検知領域に被検知物が配されたときに前記被検知物を検知する物体検知部と、前記自動吐出路に設けられ、前記物体検知部の信号に基づいて開閉する自動開閉弁と、前記操作部が操作され、前記手動吐出路を通じて水が吐出していることを検知する手動吐出検知部と、前記手動吐出検知部からの信号を受けると前記自動開閉弁を閉弁する制御部と、を備えているものである。
【発明の効果】
【０００８】
本発明によれば、物体検知部に被検知物を検知させて吐水したり止水したりできるとともに、操作部が操作されて手動吐出路を通じて吐水されると手動操作が優先され、手動で吐水したり止水したりできる。よって、非常時に限らず手動で吐水や止水を行えるから、使い勝手が良い。また、操作部が、湯水の混合比率の調整を行う操作部と、手動吐出路に流れる水の流量を調整する操作部とを兼ねているから、これらを別々に設ける場合に比して小型化できる。すなわち、本発明の構成によれば、使い勝手が良く、小型化できる。
【図面の簡単な説明】
【０００９】
【図１】本実施例における水栓装置を概略的に示す図
【図２】水栓装置を示す斜視図
【図３】水栓装置を示す分解斜視図
【図４】水栓装置を内部部品の下側から見た図
【図５】水栓装置を示す断面図
【図６】水栓装置を示す一部切欠斜視図
【発明を実施するための形態】
【００１０】
本発明の好ましい形態を以下に示す。
本発明の水栓装置は、前記手動吐出検知部が、前記手動吐出路に設けられた流動センサであり、前記水栓本体部が、被取付部の上側に配され、前記自動開閉弁及び前記手動吐出検知部が、前記被取付部の下側に配され、前記手動開閉弁へ水を供給する給水管と、前記手動開閉弁へ湯を供給する給湯管と、前記自動吐出路を形成し前記手動開閉弁側から前記自動開閉弁まで延びた自動吐出管と、前記手動吐出路を形成し前記手動開閉弁側から前記手動吐出検知部まで延びた手動吐出管と、前記自動開閉弁の下流側及び前記手動吐出検知部の下流側において前記自動吐出路と前記手動吐出路とが合流して前記吐水部に延びる流出管とが、前記被取付部に形成された貫通孔に挿通されているものとしてもよい。このような構成によれば、自動開閉弁及び手動吐出検知部を水栓本体部に設ける場合に比して、水栓本体部を小型化できる。
【００１１】
また、本発明の水栓装置は、前記給水管、前記給湯管、前記自動吐出管及び前記手動吐出管が金属製であり、前記水栓本体部が、前記水栓本体部の内部に保持される金属製の内部部品を有し、前記内部部品に、前記給水管、前記給湯管、前記自動吐出管及び前記手動吐出管が溶接して固定されるとともに、前記流出管を通す切欠き部が形成されているものとしてもよい。このような構成によれば、例えば給水管、給湯管、自動吐出管及び手動吐出管をネジで固定したり、内部部品に切欠き部を形成しないで内部部品の外面に沿って流出管を配したりする場合に比して、水栓本体部を小型化できる。
【００１２】
＜実施例＞
以下、本発明を具体化した一実施例について、図１〜図６を参照しつつ詳細に説明する。
本実施例における水栓装置は、図１に示すように、キッチンのカウンタ等の被取付部Ｋに設置され、使用者の操作に応じて適温に調整された湯水を吐水する。以下、各構成部材において、図１における左側を前方、右側を後方とし、また、上側を上方、下側を下方として説明する。
【００１３】
水栓装置は、水栓本体部１０と、水栓本体部１０から延びて先端側に吐水口１５が形成された吐水部１１とを備えている。水栓本体部１０の上端には、水栓本体部１０に収納された手動開閉弁としての弁カートリッジ１４を操作する操作部１２が備えられている。水栓装置は、１つの操作部１２を操作することにより、流量及び温度を調整した湯水を吐水することができる、いわゆるシングルレバー式の湯水混合水栓装置である。
【００１４】
水栓装置は、検知領域に手などの人体の一部や食器などの被検知物が配されたときに被検知物を検知する非接触式の物体検知部１３を備えている。水栓装置は、物体検知部１３による検知に従って自動的に吐水したり止水したりする自動式と、操作部１２を手動操作して吐水したり止水したりする手動式とに対応している。
【００１５】
水栓装置は、図示しない給水源から弁カートリッジ１４に水を供給する給水路５１と、図示しない給湯源から弁カートリッジ１４に湯を供給する給湯路５２とを備えている。弁カートリッジ１４の下流側は、手動吐出路５３及び自動吐出路５４に連通し、手動吐出路５３及び自動吐出路５４の下流側は吐水口１５に連通している。自動吐出路５４には、物体検知部１３の信号に基づいて開閉する自動開閉弁としての電磁弁５６が設けられている。水栓装置は、操作部１２が操作され、手動吐水路５３を通じて水が吐出していることを検知する手動吐出検知部としての流動センサ５７と、流動センサ５７からの信号を受けると電磁弁５６を閉弁する制御部と、を備えている。
【００１６】
水栓本体部１０は、被取付部Ｋの上面に立つ柱状をなしている。水栓本体部１０の内部に収納された弁カートリッジ１４には、図３に示すように、各種の孔Ｈ１〜Ｈ４が形成されている。各種の孔Ｈ１〜Ｈ４は、給水路５１を構成する給水孔Ｈ１、給湯路５２を構成する給湯孔Ｈ２、手動吐出路５３を構成する手動吐出孔Ｈ３、及び自動吐出路５４を構成する自動吐出孔Ｈ４である。給水孔Ｈ１、給湯孔Ｈ２、手動吐出孔Ｈ３及び自動吐出孔Ｈ４は、弁カートリッジ１４の下面に開口している。
【００１７】
弁カートリッジ１４の内部には、操作部１２と一体に動作する可動弁（図示せず）が備えられている。操作部１２が操作されることにより可動弁が可動し、手動吐出路５３に流れる水の流量が調整される。可動弁は、操作部１２が上方に持ち上げられた場合に開いた状態（弁カートリッジ１４と吐水口１５とを連通し、手動吐出路５３を通じて水が吐出する状態）になり、操作部１２が下方に押し下げられた場合に閉じた状態（弁カートリッジ１４からの流出水の流れが止められ、手動吐出路５３を通じて水が吐出しない状態）になる。また、操作部１２が操作されることにより可動弁が可動し、給水路５１からの水と給湯路５２からの湯との混合比率が調節される。湯と水とが混合されてなる湯水は、手動吐出路５３と自動吐出路５４とに流出する。手動吐出路５３と自動吐出路５４とは下流側において合流し、これらが合流してなる流出路５５は吐水部１１に延び、１つの吐水口１５に連通している。なお、本実施例では、操作部１２が上方に位置するほど吐水流量が増し、操作部１２を右方に回動させると湯水の温度が低温になり、左方に回動させると高温になる。
【００１８】
手動吐出路５３には、流動センサ５７が備えられている。流動センサ５７は、手動吐出路５３の水が流れているか否かを検知し、水が流れていることを検知すると、それを示す検知信号を制御部に出力する。
【００１９】
自動吐出路５４には、電磁弁５６と定流量弁５８とが備えられている。定流量弁５８は、自動吐出路５４内の流量を所定流量に調整する。電磁弁５６は、定流量弁５８より下流側に設けられ、制御部からの制御信号により、自動吐出路５４の開閉を行う。
【００２０】
吐水部１１は、水栓本体部１０から略水平方向に延出している。吐水部１１の先端部には、図３に示すように、吐水口１５と物体検知部１３とが設けられている。物体検知部１３は、吐水部１１の下面に設けられ、吐水口１５よりも先端寄りに位置している。
【００２１】
吐水口１５及び物体検知部１３は、後述する水栓カバー３０とは別体の吐水口部材１６に備えられている。吐水口部材１６は、水栓カバー３０に形成された窓孔３５に嵌め込まれて固定されている。
【００２２】
制御部は、図１に示すように、物体検知部１３、電磁弁５６、及び流動センサ５７にそれぞれ接続されている。制御部は、物体検知部１３からの検知信号に基づき、電磁弁５６を開閉操作し、吐水口１５の吐水及び止水を制御する。本実施例では、制御部は、物体検知部１３が被検知物を検知すると電磁弁５６を開弁し、物体検知部１３が被検知物を検知しなくなると電磁弁５６を閉弁する。
【００２３】
制御部は、流動センサ５７からの検知信号を検知した場合、すなわち手動吐出路５３の湯水が流れていることを検知した場合、物体検知部１３からの信号を受信するか否かにかかわらず、電磁弁５６を閉弁状態に保持する。これにより、水栓装置は、操作部１２の操作による吐水と、物体検知部１３の検知による吐水とが同時になされることがなく、通常より多流量の湯水が吐水されることを防ぐことができる。
【００２４】
水栓装置は、図３に示すように、水栓本体部１０の外面及び吐水部１１の外面を形成する水栓カバー３０を備えている。
水栓カバー３０のうち水栓本体部１０の外面を形成する本体カバー部３１は、上下方向の両側に開口した筒状をなしている。本体カバー部３１の内周面には、内部部品４０を固定するための部品固定部３３が突出して設けられている。部品固定部３３には、内部部品４０と水栓カバー３０とを固定するための固定ネジＳ１が挿通される挿通孔が上下方向に貫通形成されている。
【００２５】
水栓カバー３０のうち吐水部１１の外面を形成する吐水カバー部３２は、本体カバー部３１の上下方向の中間（上端寄りの位置）から略水平に突出している。本体カバー部３１と吐水カバー部３２とは、内部空間が連通している。吐水カバー部３２は、上下方向の寸法が幅方向の寸法より小さい扁平断面を有している。吐水カバー部３２の下面には、吐水口部材１６が取り付けられる窓孔３５が開口している。
【００２６】
水栓カバー３０の内部には、図３に示すように、金属製の内部部品４０が保持されている。内部部品４０は、外観が上下方向に長い柱形状をなし、軸線が上下方向に延びる向きで本体カバー部３１の内部に収容されている。
【００２７】
内部部品４０の上側の部分は、弁カートリッジ１４を保持するホルダ部４１とされている。ホルダ部４１は、円筒状をなし、上側から弁カートリッジ１４が嵌め込まれる。ホルダ部４１に嵌め込まれた弁カートリッジ１４は、ロックナット１７で固定されている（図５参照）。ロックナット１７の上面は、上面カバー１８で覆われ、上面カバー１８の上側に操作部１２が配されている。操作部１２は、固定ネジＳ２により弁カートリッジ１４に接続されている。
【００２８】
内部部品４０の下側の部分は、各種の配管Ｔ１〜Ｔ４が接続される配管接続部４２とされている。各種の配管Ｔ１〜Ｔ４は、給水路５１を形成する給水管Ｔ１、給湯路５２を形成する給湯管Ｔ２、手動吐出路５３を形成する手動吐出管Ｔ３、及び自動吐出路５４を形成する自動吐出管Ｔ４である。配管接続部４２には、各種の配管Ｔ１〜Ｔ４を、弁カートリッジ１４の給水孔Ｈ１、給湯孔Ｈ２、手動吐出孔Ｈ３、及び自動吐出孔Ｈ４に連絡させる各種の連絡孔Ｒ１〜Ｒ４が形成されている。各種の連絡孔Ｒ１〜Ｒ４は、給水孔Ｈ１に給水管Ｔ１を連絡する給水連絡孔Ｒ１、給湯孔Ｈ２に給湯管Ｔ２を連絡する給湯連絡孔Ｒ２、手動吐出孔Ｈ３に手動吐出管Ｔ３を連絡する手動吐出連絡孔Ｒ３、及び自動吐出孔Ｈ４に自動吐出管Ｔ４を連絡する自動吐出連絡孔Ｒ４である。
【００２９】
給水管Ｔ１、給湯管Ｔ２、手動吐出管Ｔ３及び自動吐出管Ｔ４は金属製であり、内部部品４０に溶接して固定されている。詳しくは、給水管Ｔ１の端部は内部部品４０の給水連絡孔Ｒ１に挿入されて溶接して固定されている。給湯管Ｔ２の端部は内部部品４０の給湯連絡孔Ｒ２に挿入されて溶接して固定されている。手動吐出管Ｔ３の端部は内部部品４０の手動吐出連絡孔Ｒ３に挿入されて溶接して固定されている。自動吐出管Ｔ４の端部は内部部品４０の自動吐出連絡孔Ｒ４に挿入されて溶接して固定されている。
【００３０】
内部部品４０には、図４及び図５に示すように、流出路５５を形成する流出管Ｔ５や物体検知部１３のハーネス（図示せず）等を通す切欠き部４３が形成されている。流出管Ｔ５は合成樹脂製である。切欠き部４３は、内部部品４０の外周面が切り欠かれた形態をなしている。切欠き部４３は、内部部品４０が本体カバー部３１の内部に保持された状態において、本体カバー部３１の内周面との間に、流出管Ｔ５またはハーネスを挿通する挿通空間を形成する。切欠き部４３は、図５に示すように、内部部品４０の上下方向の中間部（吐水部１１に対応する位置）から下端にわたっている。切欠き部４３は、仕切り部４４によって２つの空間に区画され、流出管Ｔ５とハーネスとを分けて挿通できる。
【００３１】
内部部品４０には、図３に示すように、水栓カバー３０が固定されるカバー固定部４５が設けられている。カバー固定部４５は、内部部品４０の下面に開口したネジ穴であり、水栓カバー３０を固定する固定ネジＳ１が螺合する。
【００３２】
内部部品４０には、図５に示すように、水栓装置を被取付部Ｋに固定するための設置固定部４６が設けられている。設置固定部４６には、内部部品４０の下面に開口したネジ穴が形成され、水栓装置を被取付部Ｋに固定するためのネジ付きの丸棒Ｓ３が螺合している。
【００３３】
内部部品４０の下面は、図４に示すように、略半円形をなす半円部４７と、半円部４７から本体カバー部３１の内周面に向かって突出した突出部４８とを有している。突出部４８は、仕切り部４４の下面である。半円部４７は、内部部品４０の後側に位置し、突出部４８は、内部部品４０の前側に位置している。カバー固定部４５は、半円部４７の径方向における両端部に一対が設けられている。
【００３４】
図１に示すように、電磁弁５６、定流量弁５８、流動センサ５７、及び制御部は、被取付部Ｋの下側に配され、図５に示すように、給水管Ｔ１、給湯管Ｔ２、手動吐出管Ｔ３、自動吐出管Ｔ４、及び流出管Ｔ５は、被取付部Ｋに形成された貫通孔ＫＨに挿通されている。貫通孔ＫＨの直径は、一般的な水栓装置に対応した大きさ（３５ｍｍ程度）とされている。
【００３５】
次に、本実施例における水栓装置の組み立て作業及び水栓装置を被取付部Ｋに設置する作業の一例を説明する。
まず、内部部品４０に各種の配管Ｔ１〜Ｔ４を接続する。給水管Ｔ１、給湯管Ｔ２、手動吐出管Ｔ３及び自動吐出管Ｔ４をそれぞれ内部部品４０に溶接して固定する。
【００３６】
次に、内部部品４０を水栓カバー３０に組み付ける。内部部品４０を本体カバー部３１の上端開口から本体カバー部３１の内部に差し入れ、各種の配管Ｔ１〜Ｔ４を本体カバー部３１の下端開口から下方に延出させる。水栓カバー３０の部品固定部３３と、内部部品４０のカバー固定部４５とを上下に重ね合わせて固定ネジＳ１を螺合し、水栓カバー３０と内部部品４０とを固定する。
【００３７】
また、水栓カバー３０に、物体検知部１３及び流出管Ｔ５を取り付ける。吐水口部材１６の吐水口１５に流出管Ｔ５を接続し、吐水口部材１６を吐水カバー部３２の窓孔３５に嵌合してねじ固定する。物体検知部１３のハーネスや流出管Ｔ５は、吐水カバー部３２内から本体カバー部３１内に通し、本体カバー部３１の下端開口から下方に延出させる。このとき、物体検知部１３のハーネスや流出管Ｔ５は内部部品４０の切欠き部４３に通すようにする。
【００３８】
次いで、内部部品４０のホルダ部４１に弁カートリッジ１４を嵌め入れ、ロックナット１７を締め付けて固定する。ロックナット１７の上面に上面カバー１８を取り付け、上面カバー１８の上側に操作部１２を取り付ける。
【００３９】
次に、水洗装置を被取付部Ｋに設置する。各種の配管Ｔ１〜Ｔ５及びハーネスを被取付部Ｋの貫通孔ＫＨの下方に通し、図示しない固定部材を用いてネジ付きの丸棒Ｓ３を被取付部Ｋに固定する。給水管Ｔ１及び給湯管Ｔ２を図示しない給水源及び給湯源に接続し、手動吐出管Ｔ３、自動吐出管Ｔ４、流出管Ｔ５、電磁弁５６、流動センサ５７及び定流量弁５８を接続する。
以上により、水栓装置の組み立て作業及び水栓装置を被取付部Ｋに設置する作業が完了する。
【００４０】
次に、上記のように構成された実施例の作用および効果について説明する。
本実施例の水栓装置は、水栓本体部１０と、水栓本体部１０から延びて先端側に吐水口１５が形成された吐水部１１とを備えている。水栓本体部１０には弁カートリッジ１４が収納されている。弁カートリッジ１４の下流側には、手動吐出路５３及び自動吐出路５４が連通している。手動吐出路５３及び自動吐出路５４の下流側は、吐水口１５に連通している。水栓装置は、弁カートリッジ１４を操作し、湯水の混合比率を調整するとともに手動吐出路５３に流れる水の流量を調整する操作部１２と、検知領域に被検知物が配されたときに被検知物を検知する物体検知部１３とを備えている。自動吐出路５４には、物体検知部１３の信号に基づいて開閉する電磁弁５６が設けられている。水栓装置は、操作部１２が操作され、手動吐出路５３を通じて水が吐出していることを検知する流動センサ５７と、流動センサ５７からの信号を受けると電磁弁５６を閉弁する制御部とを備えている。この構成によれば、物体検知部１３に被検知物を検知させて吐水したり止水したりできるとともに、操作部１２が操作されて手動吐出路５３を通じて吐水されると手動操作が優先され、手動で吐水したり止水したりできる。よって、非常時に限らず手動で吐水や止水を行えるから、使い勝手が良い。また、操作部１２が、湯水の混合比率の調整を行う操作部と、手動吐出路５３に流れる水の流量を調整する操作部とを兼ねているから、これらを別々に設ける場合に比して小型化できる。すなわち、本実施例の水栓装置によれば、使い勝手が良く、小型化できる。
【００４１】
また、水栓本体部１０が、被取付部Ｋの上側に配され、電磁弁５６及び流動センサ５７が、被取付部Ｋの下側に配されている。弁カートリッジ１４へ水を供給する給水管Ｔ１と、弁カートリッジ１４へ湯を供給する給湯管Ｔ２とが被取付部Ｋに形成された貫通孔ＫＨに挿通されている。貫通孔ＫＨには、自動吐出路５４を形成し弁カートリッジ１４側から電磁弁５６まで延びた自動吐出管Ｔ４と、手動吐出路５３を形成し弁カートリッジ１４から流動センサ５７まで延びた手動吐出管Ｔ３とが挿通されている。また、貫通孔ＫＨには、電磁弁５６の下流側及び流動センサ５７の下流側において自動吐出路５４と手動吐出路５３とが合流して吐水口１５に延びる流出管Ｔ５が挿通されている。この構成によれば、電磁弁５６及び流動センサ５７を水栓本体部１０に設ける場合に比して、水栓本体部１０を小型化できる。
【００４２】
また、給水管Ｔ１、給湯管Ｔ２、自動吐出管Ｔ４及び手動吐出管Ｔ３が金属製であり、水栓本体部１０の内部には金属製の内部部品４０が保持されている。給水管Ｔ１、給湯管Ｔ２、自動吐出管Ｔ４及び手動吐出管Ｔ３は、内部部品４０に溶接して固定されている。内部部品４０には、流出管Ｔ５を通す切欠き部４３が形成されている。この構成によれば、例えば給水管Ｔ１、給湯管Ｔ２、自動吐出管Ｔ４及び手動吐出管Ｔ３に止水用のＯリングを嵌着してこれらをネジで固定したり、内部部品４０に切欠き部４３を形成しないで内部部品４０の外面に沿って流出管Ｔ５を配したりする場合に比して、水栓本体部１０を小型化できる。
【００４３】
＜他の実施例＞
本発明は上記記述及び図面によって説明した実施例に限定されるものではなく、例えば次のような実施例も本発明の技術的範囲に含まれる。
（１）上記実施例では、吐水口１５が、吐水部１１に固定される吐水口部材１６に設けられているが、これに限らず、吐水口を、吐水部に着脱自在な吐水口部材に設け、流出管を引き出し自在としてもよい。
（２）上記実施例では、内部部品４０が金属製とされているが、これに限らず、内部部品は合成樹脂製であってもよく、この場合、溶接以外の手段で各種の配管を内部部品に接続してもよい。
（３）上記実施例では、手動吐水路を形成する手動吐水管が被取付部Ｋの下方に延出しているが、これに限らず、手動吐水管を省略し、手動吐水管を内部部品に形成してもよい。
（４）上記実施例では、手動吐出検知部が流動センサ５７である場合を例示したが、これに限らず、手動吐出検知部は、例えば操作部の操作（上下動）を検知するものであってもよい。
【符号の説明】
【００４４】
Ｋ…被取付部
ＫＨ…貫通孔
Ｔ１…給水管
Ｔ２…給湯管
Ｔ３…手動吐出管
Ｔ４…自動吐出管
Ｔ５…流出管
１０…水栓本体部
１１…吐水部
１２…操作部
１３…物体検知部
１４…弁カートリッジ（手動開閉弁）
１５…吐水口
４０…内部部品
４３…切欠き部
５３…手動吐出路
５４…自動吐出路
５６…電磁弁（自動開閉弁）
５７…流動センサ（手動吐出検知部）
【図１】
2020066841.tif 000003
【図２】
2020066841.tif 000004
【図３】
2020066841.tif 000005
【図４】
2020066841.tif 000006
【図５】
2020066841.tif 000007
【図６】
2020066841.tif 000008